(57)【要約】      （修正有）【課題】  レールとレール呑み込み溝と外れ止めとの間の隙間を塞いで気密性を確保でき、且つ気密材が障子の建て込み時や組み立て時などに傷付けられることのない外召し合せ框用振れ止め具の提供。【解決手段】  振れ止め１Ｒと、外れ止め２と、風止め板３とを備え、振れ止めは、レール呑み込み溝の溝幅を小さくする方向に弾性変形して外召し合せ框上端部内に嵌めるものであり、外れ止めは、振れ止めの上部に係合した状態で外召し合せ框内に挿入したときにレール呑み込み溝の弾性変形により振れ止めとの係合が解除され下方に相対移動すると共に下方位置において振れ止めの下部に係止するものであり、風止め板は、レールの厚みよりも幅の狭いスリット４１を有し、レールとレール呑み込み溝と外れ止めとの間の隙間を塞ぐ軟質樹脂製の板状部材であり、外れ止めに取付けてある。【選択図】図１
2006257772.tif 000002
【特許請求の範囲】
【請求項１】
振れ止めと、外れ止めと、風止め板とを備え、振れ止めは、振れ止め部を有するレール呑み込み溝と、上框と外召し合せ框を固定する連結ネジの挿通部を有し、レール呑み込み溝の溝幅を小さくする方向に弾性変形して外召し合せ框上端部内に嵌めるものであり、外れ止めは、振れ止めの上部に係合した状態で外召し合せ框内に挿入したときにレール呑み込み溝の弾性変形により振れ止めとの係合が解除され下方に相対移動すると共に下方位置において振れ止めの下部に係止するものであり、且つ外召し合せ框に設けた上下方向の長孔を挿通するネジにより外召し合せ框内におけるレールの下端に接近する位置に取付位置調整自在なものであり、風止め板は、レールの厚みより幅の狭いスリットを有し、レールとレール呑み込み溝と外れ止めとの間の隙間を塞ぐ軟質樹脂製の板状部材であり、外れ止めに取付けてあることを特徴とする外召し合せ框用振れ止め具。
【請求項２】
風止め板は、外れ止めの振れ止め側面に係止し、外れ止めと振れ止めの間に配置してあることを特徴とする請求項１記載の外召し合せ框用振れ止め具。
【請求項３】
外れ止めは左右勝手兼用のものであり、振れ止めは左勝手と右勝手の両方があり左勝手と右勝手の各々を外れ止めに取付け自在であり、風止め板は表裏を逆にして外れ止めに取付けることで左右勝手兼用としていることを特徴とする請求項１記載の外召し合せ框用振れ止め具。
【発明の詳細な説明】
【技術分野】
【０００１】
本発明は、外障子の召し合せ框（外召し合せ框）上端部に設置して、上レールに対する外障子のがたつきを防止する外召し合せ框用振れ止め具に関するものである。
【背景技術】
【０００２】
引き違い窓の障子は、窓枠の上下レール間にけんどん式にて建て込み、レールに沿って移動自在にしている。外召し合せ框の上端部には、硬質樹脂製の振れ止めが取付けてあり、振れ止めは上レールの呑み込み溝を有し、レール呑み込み溝は上端部に隙間が狭くなった振れ止め部を有しており、振れ止め部に上レールを挟み込んで外障子の室内外方向のがたつきを防止している。さらに外召し合せ框の上端部内には、外れ止めが高さ調整自在に設けてあり、外障子を窓枠に建て込んだ後、外れ止めをその上端が上レールの下端に当接する位置まで上方移動させて固定し、外障子の浮き上がりを防止している（特許文献１参照。）。
【０００３】
振れ止めのレール呑み込み溝は、レールとの摩擦を小さくすると共に外障子の窓枠への建て込みを容易にするために、振れ止め部より下側の部分はレールの厚みより幅広に形成してあり、そのため特許文献１の図１（ｂ）に示すように、外れ止めのレール当接部よりも上側のレールの側面とレール呑み込み溝との間に隙間が空き、その隙間から風雨が室内側に吹き込む不都合があった。これを塞ぐため、レール呑み込み溝の内側に気密材を固定して設けた場合には、障子を窓枠に建て込む際、レール呑み込み溝にレールを呑み込ませたときに気密材がレールによって傷付けられるおそれがあるし、また障子の組み立て時にはレール呑み込み溝の下部より上框と召し合せ框を固定する連結ネジを挿通するので、連結ネジのねじ山やビス頭で気密材が傷付けられるおそれがある。気密材が傷付けられると、期待通りに気密性が確保できなくなる。
【特許文献１】特許第３２３３１０６号公報
【発明の開示】
【発明が解決しようとする課題】
【０００４】
本発明は以上に述べた実情に鑑みてなされたものであって、レールとレール呑み込み溝と外れ止めとの間の隙間を塞いで気密性を確保でき、且つ気密材が障子の建て込み時や組み立て時などに傷付けられることのない外召し合せ框用振れ止め具の提供を目的とする。
【課題を解決するための手段】
【０００５】
上記の課題を達成するために請求項１記載の発明による外召し合せ框用振れ止め具は、振れ止めと、外れ止めと、風止め板とを備え、振れ止めは、振れ止め部を有するレール呑み込み溝と、上框と外召し合せ框を固定する連結ネジの挿通部を有し、レール呑み込み溝の溝幅を小さくする方向に弾性変形して外召し合せ框上端部内に嵌めるものであり、外れ止めは、振れ止めの上部に係合した状態で外召し合せ框内に挿入したときにレール呑み込み溝の弾性変形により振れ止めとの係合が解除され下方に相対移動すると共に下方位置において振れ止めの下部に係止するものであり、且つ外召し合せ框に設けた上下方向の長孔を挿通するネジにより外召し合せ框内におけるレールの下端に接近する位置に取付位置調整自在なものであり、風止め板は、レールの厚みより幅の狭いスリットを有し、レールとレール呑み込み溝と外れ止めとの間の隙間を塞ぐ軟質樹脂製の板状部材であり、外れ止めに取付けてあることを特徴とする。
【０００６】
請求項２記載の発明による外召し合せ框用振れ止め具は、請求項１記載の構成に加え、風止め板は、外れ止めの振れ止め側面に係止し、外れ止めと振れ止めの間に配置してあることを特徴とする。
【０００７】
請求項３記載の発明による外召し合せ框用振れ止め具は、請求項１記載の構成に加え、外れ止めは左右勝手兼用のものであり、振れ止めは左勝手と右勝手の両方があり左勝手と右勝手の各々を外れ止めに取り付け自在であり、風止め板は表裏を逆にして外れ止めに取付けることで左右勝手兼用としていることを特徴とする。
【発明の効果】
【０００８】
請求項１記載の発明による外召し合せ框用振れ止め具は、外れ止めに軟質樹脂製の板状部材である風止め板を取付けてあり、風止め板はレールの厚みより幅の狭いスリットを有し、外れ止めをレールの下端に接近する位置に取付位置を調整して外れ止めを効かせた状態においては、風止め板のスリットにレールが差し込まれて密着し、風止め板がレールとレール呑み込み溝と外れ止めとの間の隙間を塞ぐので、外召し合せ框上端部の気密性を確保できる。しかも、風止め板が外れ止めに取付けてあって、外れ止めは、外障子を窓枠に建て込む際や、上框と外召し合せ框を連結ビスで固定する際などには、外召し合せ框内で下方に相対移動し振れ止めの下部に係止する状態であるため、風止め板のスリットが、外障子の窓枠への建て込み時にレールと干渉して傷付けられたり、框を組む際に連結ビスによって傷付けられたりすることがなく、安定して気密性を確保できる。また、外障子を動かしたときには、風止め板はスリットがレールと摺接して柔軟に変形するため、風止め板の耐久性が良好である。
【０００９】
請求項２記載の発明による外召し合せ框用振れ止め具は、風止め板が外れ止めの振れ止め側面に係止し、外れ止めと振れ止めの間に配置してあることで、風止め板を簡易に取付けることができ、尚且つ風止め板が位置ずれしたり脱落したりすることを防止できる。
【００１０】
請求項３記載の発明による外召し合せ框用振れ止め具は、四枚建てサッシの場合など、左右勝手違いの二種類の外障子を製作する場合に、外れ止めと風止め板が左右勝手兼用であり、振れ止めのみ左勝手と右勝手のものを製作すれば済むので、コストを削減できる。
【発明を実施するための最良の形態】
【００１１】
以下、本発明の実施の形態を図面に基づいて説明する。図１３は、四枚建てサッシの室外側正面図であり、窓枠１４内の側部寄りに右外障子１５Ｒと左外障子１５Ｌをそれぞれ備え、中央寄りに右内障子１６Ｒと左内障子１６Ｌを並べて備えている。各障子は、上枠１７下面と下枠１８上面に形成した上下のレール間に、室内側からけんどん式に取付けられ、レールに沿って左右に移動する。右外障子１５Ｒの外召し合せ框７Ｒ上端部と、左外障子１５Ｌの外召し合せ框７Ｌ上端部に、本発明に係る振れ止め具１９Ｒ，１９Ｌをそれぞれ設けている。
【００１２】
図１〜図３は、右外障子１５Ｒの外召し合せ框７Ｒ上端部の振れ止め具１９Ｒの取付状態を示しており、本振れ止め具は、図１に示すように、外召し合せ框７Ｒ上端部に嵌め込まれ、上枠１７のレール１２をレール呑み込み溝５に呑み込ませて障子の室内外方向のがたつきを防止する振れ止め１Ｒと、外召し合せ框７Ｒ内部に高さ調整自在に設けられ、上端部がレール１２の下端に近接する位置で室内側からネジ１１で固定して障子の浮き上がりを防止する外れ止め２と、外れ止め２の振れ止め１Ｒ側面に取付けられ、レール１２とレール呑み込み溝５と外れ止め２との間の隙間を塞ぐ風止め板３とを備えている。レール１２は、図２に示すように、外召し合せ框７Ｒの室内外方向の中心に対して室外側に偏移した位置にある。
【００１３】
外召し合せ框７Ｒは、図１１（ａ）に示すように、室内側壁の上部に、外れ止め２を框に固定するためのネジ１１を挿通する長孔１０を上下方向に設けてあり、外周側壁と内周側壁の上端部には、図１１（ｂ）に示すように、レール１２を挿通するための切り欠き２０ａ，２０ｂが設けてあり、さらに内周側壁の切り欠き２０ｂの下方には、上框６と外召し合せ框７Ｒとを固定する連結ネジ８の挿通孔２１が設けてある。
【００１４】
振れ止め１Ｒは、図６に示すように、上方に向けて開口したレール呑み込み溝５と、レール呑み込み溝５の下部に設けた連結ネジ挿通部９と、外召し合せ框７Ｒの外周側壁と内周側壁に設けた切り欠き２０ａ，２０ｂにそれぞれ嵌合する嵌合部２２ａ，２２ｂと、外召し合せ框７Ｒ上端の開口を塞ぐ塞ぎ部２３とを有している。レール呑み込み溝５の上端部には、レール１２を室内外から挟み込んで障子１５Ｒを振れ止めする振れ止め部４が形成してあり、またレール呑み込み溝５の対向壁２４，２４は、外召し合せ框７Ｒに装着する前においては、上側に向けて間隔が若干広がっている。レール呑み込み溝５の対向壁２４，２４の両外側面には、図９（ａ）に示すように、外側に向けて突出する係合突条２５ａ，２５ｂが形成してあり、またレール呑み込み溝５の下端部には水平板部２６が形成してあり、水平板部２６の下面には下向き突部２７を設けてある。
【００１５】
外れ止め２は、図７に示すように、左右対称形となっており、外召し合せ框７Ｒの内周側壁寄りに配置される板状部２８と、板状部２８の下端に設けられ外召し合せ框７Ｒの中空部内に収まるボックス部２９とを有している。板状部２８は、上端に矩形の切り欠き３０を設け、切り欠き３０の底部にレール１２下端に当接するレール当接部３１を振れ止め１Ｒ側に突出して設けてあり、さらに板状部２８の振れ止め１Ｒ側面の略中央部には、風止め板３を係止する係止部３２が設けてある。板状部２８の両側縁部には、振れ止め１Ｒの係合突条２５ａ，２５ｂと摺接する対向壁部３３，３３が設けてあり、各対向壁部３３の上端部には、外側に向けて形成した係合溝３４と、振れ止め１Ｒ側に突出する突起部３５を設けてある。ボックス部２９上部には、外召し合せ框７Ｒの上下方向の長孔１０を通して室内側から挿入されるネジ１１の挿通孔３６が貫通して設けてあり、ネジ挿通孔３６の中間部にはそのネジ１１と螺合するナット３７を埋め込んである。ボックス部２９上面の振れ止め１Ｒ側端部には、上向き突部３８を設けてある。
【００１６】
風止め板３は、ポリオレフィン系軟質樹脂（ＴＰＯ）で形成した板状の部材であり、図１０に示すように、中央部に外れ止め２の係止部３２に係止する矩形窓３９を有し、上部に外れ止め２のレール当接部３１に係止する矩形窓４０を横長に有しており、風止め板３はこの上下二箇所の矩形窓３９，４０を係止部３２とレール当接部３１にそれぞれ係止して、外れ止め２の振れ止め１Ｒ側面に取付けられる。上側の矩形窓４０よりも上側の部分におけるレール１２が通過する位置に対応した位置には、上下方向にレール１２の厚みよりも幅の狭いスリット４１が形成してあり、スリット４１の両側に薄肉の軟弱なフィン状のレール摺接部１３，１３を形成してある。風止め板３の表裏面には、「Ｒ」、「Ｌ」の刻印４２を付してあり、右外障子１５Ｒ用の振れ止め具においては、図１０（ｂ）に示すように、「Ｒ」の面を表にして（振れ止め側に向けて）取付けてある。
【００１７】
本振れ止め具１９Ｒは、外れ止め２の板状部２８の振れ止め側面に風止め板３を係止取付けした後、図５に示すように、外れ止め２の係合溝３４，３４を振れ止め１Ｒの係合突条２５ａ，２５ｂに係合すると共に、振れ止め１Ｒの下向き突部２７と外れ止め２の上向き突部３８とを係合することにより振れ止め１Ｒと外れ止め２を一体化して、外召し合せ框７Ｒの中空部内に上方から嵌め込まれる。振れ止め１Ｒと外れ止め２を一体化すると、振れ止め１Ｒのレール呑み込み溝５の対向壁２４の端面が、風止め板３の表面に略当接する。振れ止め１Ｒは、外召し合せ框７Ｒ内に嵌め込まれると、嵌合部２２ａ，２２ｂが外召し合せ框７Ｒに設けた切り欠き２０ａ，２０ｂの内側に嵌合することにより、図１に示すように、レール呑み込み溝５の溝幅が小さくなる方向に弾性変形し、その反発力により外召し合せ框７Ｒ上端部に固定される。そのように振れ止め１Ｒが弾性変形すると、振れ止めの係合突条２５ａ，２５ｂの間隔も狭まるため、外れ止め２の係合溝３４から係合突条２５ａ，２５ｂが抜けて外れ止め２が下方に相対移動し、図４に示すように、外れ止め２上端の突起部３５が振れ止め１Ｒ下端の水平板部２６に係止して落ち止めされる。
【００１８】
このように本振れ止め具１９Ｒは、振れ止め１Ｒと外れ止め２を一体にした状態で外召し合せ框７Ｒに装着できるため取付けが容易であり、装着すると両者の係合状態が自動的に解除されて外れ止め２が下方に移動することから、外れ止め２を下方に移動させる手間がいらず、しかも外れ止め２は振れ止め１Ｒの下部に係止して落ち止めされるので、外れ止め２の操作性が良好となる。外れ止め２を落ち止めした状態で、振れ止め１Ｒの連結ネジ挿通部９より連結ネジ８を挿通して上框６と外召し合せ框７Ｒとが固定される。外障子１５Ｒを窓枠１４にけんどん式に建て込んだ後は、外召し合せ框７Ｒの長孔１０より外れ止め２のネジ挿通孔３６にネジ１１を挿通してナット３７と螺合し、ネジ１１を介して外れ止め２を上に持ち上げて、図１に示すようにレール当接部３１をレール１２下端に当接ないし近接させ、ネジ１１を締め付けて外れ止め２を框に固定する。
【００１９】
本振れ止め具１９Ｒによれば、レール呑み込み溝５上端の振れ止め部４にレール１２が挟まれて外障子１５Ｒの室内外方向のがたつきが防止されると共に、外れ止め２のレール当接部３１がレール下端に当接することで外障子１５Ｒの浮き上がりが防止され、さらに風止め板３のスリット４１にレール１２が差し込まれて密着し、従来は隙間が開いていたレール当接部３１より上側のレール１２とレール呑み込み溝５との間の空間が、風止め板３のレール摺接部１３，１３によって塞がれるので、その空間から風雨が室内側に吹き込むことを確実に防止できる。レール摺接部１３は軟弱なフィン状に形成してあって容易に変形するため、外障子の開閉によりレール１２と繰り返し摺接しても損耗が生じ難く、耐久性が高い。風止め板３は外れ止め２に取付けてあって、外れ止め２は、外障子１５Ｒの窓枠１４への建て込み時や、外障子１５Ｒを組み立てる際には、図４に示すように、外召し合せ框７Ｒ内部で振れ止め１Ｒの下部に係止して落ち止めした状態となっているので、風止め板３のレール摺接部１３がレール１２や連結ネジ８と干渉して傷付けられることがなく、レール摺接部１３により気密性を安定して確保できる。また風止め板３は、外れ止め２の係止部３２とレール当接部３１に係止して取付けてあり、且つ外れ止め２と振れ止め１Ｒの間に配置してあることで、外れ止め２に対して接着することなく簡易に取付でき、尚且つ使用中に位置ずれしたり脱落したりすることもなく、レール摺接部１３が損耗したときには簡単に交換できる。
【００２０】
左外障子１５Ｌの外召し合せ框７Ｌ上端部に設ける振れ止め具１９Ｌは、図１２に示すように、図１に示す右外障子１５Ｒ用の振れ止め具１９Ｒとは左右勝手違いのものとなるが、外れ止め２は左右対称形であることから、右外障子１５Ｒ用と共通のものを使用している。風止め板３は、右外障子１５Ｒ用のものと共通のものを、図１０（ｃ）に示すように、「Ｌ」の刻印をした面を上にして、すなわち右外障子１５Ｒ用の場合とは表裏を逆にして、外れ止め２に係止取付けしている。振れ止め１Ｌは、図６に示す右外障子１５Ｒ用のものとは左右勝手違いの形状となっており、共通の外れ止め２に対して右外障子１５Ｒ用の場合と同様に組み合わせて用いている。
【００２１】
本発明は以上に述べた実施形態に限定されない。レールの位置を外召し合せ框の室内外方向の中央に配置した場合には、振れ止めも左右勝手兼用とすることができる。風止め板は、外れ止めに接着により取付けてもよい。
【図面の簡単な説明】
【００２２】
【図１】右外障子の外召し合せ框上端部に取付けた振れ止め具の正面図である。
【図２】右外障子の外召し合せ框上端部に取付けた振れ止め具の平面図である。
【図３】右外障子の外召し合せ框上端部に取付けた振れ止め具の室内側側面図である。
【図４】振れ止め具を右外障子の外召し合せ框上端部に取付け、外れ止めを振れ止めの下部に係止して落ち止めした状態を示す室内側側面図である。
【図５】（ａ）は、外召し合せ框に取付ける前の振れ止め具の背面図であり、（ｂ）は同じく外召し合せ框に取付ける前の振れ止め具の側面図である。
【図６】（ａ）は右外障子用の振れ止めの背面図、（ｂ）は同側面図、（ｃ）は同正面図である。
【図７】（ａ）は外れ止めの平面図、（ｂ）は同側面図、（ｃ）は同正面図である。
【図８】図７（ｃ）におけるＡ−Ａ断面図である。
【図９】（ａ）は図６（ｂ）におけるＢ−Ｂ断面図、（ｂ）は図６（ｂ）におけるＣ−Ｃ断面図である。
【図１０】（ａ）は風止め板の平面図、（ｂ）は同正面図、（ｃ）は同背面図である。
【図１１】（ａ）は右外障子の外召し合せ框の室内側側面図、（ｂ）は同正面図である。
【図１２】左外障子の外召し合せ框上端部に取付けた振れ止め具の正面図である。
【図１３】四枚建てサッシの室外側正面図である。
【符号の説明】
【００２３】
１Ｒ，１Ｌ  振れ止め
２  外れ止め
３  風止め板
４  振れ止め部
５  レール呑み込み溝
６  上框
７Ｒ，７Ｌ  外召し合せ框
８  連結ネジ
９  連結ネジ挿通部
１０  長孔
１１  ネジ
１２  レール
４１  スリット
【図１】
2006257772.tif 000003
【図２】
2006257772.tif 000004
【図３】
2006257772.tif 000005
【図４】
2006257772.tif 000006
【図５】
2006257772.tif 000007
【図６】
2006257772.tif 000008
【図７】
2006257772.tif 000009
【図８】
2006257772.tif 000010
【図９】
2006257772.tif 000011
【図１０】
2006257772.tif 000012
【図１１】
2006257772.tif 000013
【図１２】
2006257772.tif 000014
【図１３】
2006257772.tif 000015